(57)【特許請求の範囲】
【請求項１】
廃棄物中に混在する重量物と軽量物とを選別する風力選別システムにおいて、
上下方向に配置された縦通路、前記縦通路の下端部にエアを送り込むための第一のエア取入口、及び前記廃棄物を前記縦通路の上端部に送り込むための廃棄物投入口が設けられ、前記第一のエア取入口に送り込まれたエアが、前記廃棄物投入口に投入され前記縦通路内を通過する前記廃棄物中の前記軽量物と共に、前記縦通路の上端部に設けられた第一のエア排出口から排出され、その他の前記重量物が前記縦通路の下端部に設けられた重量物排出口から排出される重量物選別機と、
前記第一のエア排出口から排出された前記軽量物が混ざったエアを内部に送り込むための第二のエア取入口、前記軽量物が通過するのを阻止する網状のスクリーン、及び前記軽量物を排出させるロータリバルブが設けられ、前記第二のエア取入口に送り込まれた前記軽量物が混ざったエアのうち、前記軽量物が前記スクリーンにより取り除かれ、前記ロータリバルブを通じて軽量物排出口から排出され、前記スクリーンを通過したエアが、前記スクリーンの後段に設けられた第二のエア排出口から排出される軽量物選別機と、
前記第二のエア排出口から排出された前記エアを取り込んで前記第一のエア取入口に向けて送り出す送風機、及び前記送風機が送り出したエアを前記重量選別機に送り、前記軽量物選別機を通じて前記送風機に戻すエア循環用ダクトで構成されたエア供給装置とを備え、
前記エア供給装置には、前記エア循環用ダクト内を循環するエアを清浄化するためのエア集塵機、及び前記エア循環用ダクト内のエアを、前記エア循環用ダクトにおける前記軽量物選別機の後段位置から取り出して前記エア集塵機に送り、前記エア集塵機により清浄化されたエアを前記送風機の前段位置に戻すエア集塵用ダクトが設けられていることを特徴とする風力選別システム。
【請求項２】
前記重量物選別機の前記縦通路は、左右交互に屈曲したジグザグ路である請求項１記載の風力選別システム。
【発明の詳細な説明】
【技術分野】
【０００１】
本発明は、建築廃材、廃プラスッチック、木や紙類などが混在する廃棄物の処理を行うため、廃棄物を重量物と軽量物とに選別する風力選別システムに関する。
【背景技術】
【０００２】
従来、この種のシステムとして、例えば特許文献１に示すように、重さが異なる物が混合した廃棄物が上方から供給され、内部において上方に向かって流れる空気流によって搬送される軽量物と落下する重量物とに選別する立ち上がりダクトと、立ち上がりダクトの上端部に入口部で接続され、立ち上がりダクトの排気から軽量物を取り除くサイクロン集塵機と、サイクロン集塵機の排気を取り込んで立ち上がりダクトの下端部に送り込む送風機とを備えた空気循環型の風力選別装置があった。
【先行技術文献】
【特許文献】
【０００３】
【特許文献１】特開２０００−２０２３６８号公報
【発明の概要】
【発明が解決しようとする課題】
【０００４】
しかし、特許文献１の風力選別装置の場合、送風機が送り出す空気の風量や風速が変化すると、立ち上がりダクトによる重量物の回収動作とサイクロン集塵機による軽量物の回収動作の両方に影響するので、両方の回収動作が狙い通りに行われるように調節するのが容易ではない。例えば、立ち上がりダクトによる回収動作が適切に行われるように風量を多くするとサイクロン集塵機にとっては過剰になるケースが考えられ、この場合、サイクロン集塵機が小さく軽いゴミ等を回収できず、異物が混じった汚れた空気を排出するため、後段の送風機が異物により故障してしまう可能性がある。
【０００５】
また、サイクロン集塵機は、内部の下端部が逆円錐状で比較的詰まりやすい構造なので、選別できる軽量物の種類やサイズが制限されてしまう。しかも、サイクロン集塵機は、大量の廃棄物を処理する場合に大型の胴体が必要になり、送風機もハイパワーのものが必要になるので、選別システムを小型化しにくいという問題もある。
【０００６】
本発明は、上記背景技術に鑑みて成されたものであり、様々な廃棄物を効率よく選別することができ、小型で故障しにくい空気循環型の風力選別システムを提供することを目的とする。
【課題を解決するための手段】
【０００７】
本発明は、廃棄物中に混在する重量物と軽量物とを選別する風力選別システムであって、上下方向に配置された縦通路、前記縦通路の下端部にエアを送り込むための第一のエア取入口、及び前記廃棄物を前記縦通路の上端部に送り込むための廃棄物投入口が設けられ、前記第一のエア取入口に送り込まれたエアが、前記廃棄物投入口に投入され前記縦通路内を通過する前記廃棄物中の前記軽量物と共に、前記縦通路の上端部に設けられた第一のエア排出口から排出され、その他の前記重量物が前記縦通路の下端部に設けられた重量物排出口から排出される重量物選別機と、前記第一のエア排出口から排出された前記軽量物が混ざったエアを内部に送り込むための第二のエア取入口、前記軽量物が通過するのを阻止する網状のスクリーン、及び前記軽量物を排出するロータリバルブが設けられ、前記第二のエア取入口に送り込まれた前記軽量物が混ざったエアのうち、前記軽量物が前記スクリーンにより取り除かれ、前記ロータリバルブを通じて軽量物排出口から排出され、前記スクリーンを通過したエアが、前記スクリーンの後段に設けられた第二のエア排出口から排出される軽量物選別機と、前記第二のエア排出口から排出された前記エアを取り込んで前記第一のエア取入口に向けて送り出す送風機、及び前記送風機が送り出したエアを前記重量選別機に送り、前記軽量物選別機を通じて前記送風機に戻すエア循環用ダクトで構成されたエア供給装置とを備えた風力選別システムである。
【０００８】
前記重量物選別機の前記縦通路は、左右交互に屈曲したジグザグ路であることが好ましい。また、前記エア供給装置には、前記エア循環用ダクト内を循環するエアを清浄化するためのエア集塵機、及び前記エア循環用ダクト内のエアを、前記エア循環用ダクトにおける前記軽量物選別機の後段位置から取り出して前記エア集塵機に送り、前記エア集塵機により清浄化されたエアを前記送風機の前段位置に戻すエア集塵用ダクトが設けられていることが好ましい。
【発明の効果】
【０００９】
本発明の風力選別システムは、廃棄物中に混在する重量物と軽量物とを効率よく選別し、回収することができる。しかも、スクリーンを有する軽量物選別機によって小さく軽いゴミ等を十分に回収し、清浄なエアを排出することができるので、後段の送風機が異物を吸い込んで故障する事故が発生しにくく、空気循環型のシステムに適した構成と言える。さらに、エア集塵機及びエア集塵用ダクトを付設し、エアを定常的に清浄化することによって、異物による送風機の故障をより確実に防止することができる。
【００１０】
また、この風力選別システムは、いわゆるロータリセパレータ式の軽量物選別機を備えているので、特許文献１のサイクロン集塵機を備えた風力選別装置よりも全体の構成を小型化することができ、しかも廃棄物（軽量物）をより効果的に回収することができる。
【図面の簡単な説明】
【００１１】
【図１】本発明の風力選別システムの一実施形態を示す正面図である。
【発明を実施するための形態】
【００１２】
以下、本発明の風力選別システムの一実施形態について、図面に基づいて説明する。この実施形態の風力選別システム１０は、複数種類の廃材等が混じった廃棄物が投入され、金属片やコンクリート片等の重量物とプラスチックや紙類等の軽量物とを選別し、回収するシステムであり、重量物選別機１２、軽量物選別機１４、及びエア供給装置１６で構成されている。
【００１３】
重量物選別機１２は、図１に示すように、水平方向である左右に交互に傾斜し上下方向に複数段にわたって形成されたジグザグ路である縦通路１８と、縦通路１８の下端部にエアを送り込むための第一のエア取入口２０と、廃棄物を縦通路１８の上端部に送り込むための廃棄物投入口２２とを備えている。廃棄物投入口２２にはコンベア２８の搬出部が配置され、コンベア２８によって移送された廃棄物が投入される。廃棄物を廃棄物投入口２２に直接投入する場合は、コンベア２８は不要である。また、第一のエア取入口２０には第一ダクト部２４(1)が接続され、後述する送風機２６からエアが送り込まれる。そして、第一のエア取入口２０に送り込まれたエアは、廃棄物投入口２２に投入され縦通路１８内を通過する廃棄物中の軽量物と共に、縦通路１８の上端部に設けられた第一のエア排出口３０から排出され、その他の重量物は、縦通路１８の下端部に設けられた重量物排出口３２から排出され、重量物排出口３２の下方に設置された重量物回収容器３４内に回収される。
【００１４】
このとき、縦通路１８が垂直方向に対してジグザグ路になっており、廃棄物が縦通路１８内を落下する際にジグザグの角部にぶつかって散乱し、互いに係合している重量物と軽量物も分離させることができ、エアが軽量物を効果的に取り除くことができるので、狙いの重量物をより確実に選別することができる
軽量物選別機１４は、第一のエア排出口３０から排出された軽量物が混ざったエアを内部に送り込むための第二のエア取入口３６と、軽量物が通過するのを阻止する網状のスクリーン３８と、放射状に羽根が設けられたロータが回転して軽量物を通過させるロータリバルブ４０とを備えている。第二のエア取入口３６には、第二のエア取入口３６と第一のエア搬出口３０とを連結する第二ダクト部２４(2)が接続され、重量物選別機１２から排出された軽量物が混ざったエアが送り込まれる。そして、第二のエア取入口３０に送り込まれた軽量物が混ざったエアのうち、軽量物は、スクリーン３８の網目を通過できず、スクリーン３８により捕捉され、ロータリバルブ４０の羽根でスクリーン３８から取り除かれて軽量物排出口４２から排出され、軽量物排出口４２の下方に設置された軽量物回収容器４４内に回収される。スクリーン３８を通過したエアは、スクリーン３８の後方に設けられた第二のエア排出口４６から排出される。第二のエア排出口４６には第三ダクト部２４(3)が接続され、軽量物選別機１４から排出されたエアを送風機２６に戻す構造になっている。
【００１５】
エア供給装置１６は、軽量物選別機１４の第二のエア排出口４６から排出されたエアを取り込み、重量物選別機１２の第一のエア取入口２０に向けてエアを送り出す送風機２６と、上記第一ダクト部２４(1)、第二ダクト部２４(2)及び第三ダクト部２４(3)で成るエア循環用ダクト２４とを備えている。
【００１６】
送風機２６が送り出すエアの風量や風速は、主に、重量物選別機１２による回収動作が狙い通りに行われるように調節すればよい。軽量物選別機１４による回収動作は、主にスクリーン３８の網目の粗密によって調節できるため、エアの風量や風速を厳密に最適化する必要がないからである。
【００１７】
エア供給装置１６には、エア循環用ダクト２４内を循環するエアを定常的に清浄化するため、図示しないエア集塵機とエア集塵用ダクト４８とが設けられている。エア集塵用ダクト４８は、エア循環用ダクト２４における軽量物選別機１４の後段位置（第三ダクト部２４(3)の途中）から内部のエアを取り出し、取り出したエアをエア集塵機に送り込み、エア集塵機により塵や埃が除去されたエアを送風機２６の前段位置（第三ダクト部２４(3)の送風機２６側の端部）に戻す構造になっている。エア循環用ダクト２４の両端部には、開閉弁５０が設けられている。
【００１８】
以上説明したように、風力選別システム１０は、廃棄物中に混在する重量物と軽量物とを効率よく選別し、回収することができる。しかも、スクリーン３８を有する軽量物選別機１４によって小さく軽いゴミ等を十分に回収し、清浄なエアを排出することができるので、後段の送風機２６が異物を吸い込んで故障する事故が発生しにくく、空気循環型のシステムに適した構成と言える。さらに、エア集塵機及びエア集塵用ダクト４８が付設されているので、エアを定常的に清浄化することによって、異物による送風機２６の故障をより確実に防止することができる。さらに、特許文献１のような風力選別装置の場合、送風機が送り出すエアの風量や風速は、立ち上がりダクトによる回収動作とサイクロン集塵機による回収動作の両方を考慮しなければならないので調節が非常に難しいが、この風力選別システム１０の場合は、送風機２６の調節が容易である。
【００１９】
なお、本発明の風力選別システムは、上記実施形態に限定されるものではない。例えば、重量物選別機は、縦通路のジグザグ路の段数や形状は選別対象の廃棄物に合わせて変更することができ、例えば、重量物と軽量物とが係合したり絡み合ったりしていない廃棄物を選別する場合は、ジグザグ路ではなく真っすぐな縦通路にしてもよい。
【００２０】
軽量物選別機は、網状のスクリーンを有するロータリセパレータ式のものであればよく、第二のエア取入口、軽量物排出口、及び第二のエア排出口の配置は、適宜変更することができる。
【００２１】
さらに、エア供給装置のエア循環ダクトの長さやレイアウトは、重量物選別機、軽量物選別機及び送風機の配置等に鑑みて自由に変更することができる。また、エア集塵機及びエア集塵用ダクトは、必要に応じて省略してもよい。
【符号の説明】
【００２２】
１０  風力選別システム
１２  重量物選別機
１４  軽量物選別機
１６  エア供給装置
１８  縦通路
２０  第一のエア取入口
２２  廃棄物投入口
２４  エア循環用ダクト
２６  送風機
３０  第一のエア排出口
３２  重量物排出口
３６  第二のエア排出口
３８  スクリーン
４０  ロータリバルブ
４２  軽量物排出口
４６  第二のエア排出口
４８  エア集塵用ダクト
【図１】
0006335846.tif 000002